(57)【要約】【課題】夏場の屋外において、作業者が避暑地での休憩を十分に取る事ができることとなる、移動式避暑休憩所を提供する。【解決手段】対を成す側壁フレーム１２と、対を成す側壁フレーム１２間に架け渡されて側壁フレーム１２の倒れ込みを防止する梁材１４と、対を成す側壁フレーム１２間に架け渡された腰掛板１６と、側壁フレーム１２の下端部に設けられたキャスター１８と、側壁フレーム１２において腰掛板１６よりも上部に設けられる屋根部２０と、を備え、腰掛板１６と屋根部２０との間には、作業者の腰掛スペースが確保されていることを特徴とする。【選択図】図１
2018087478.tif 000002
【特許請求の範囲】
【請求項１】
対を成す側壁フレームと、
対を成す前記側壁フレーム間に架け渡されて前記側壁フレームの倒れ込みを防止する梁材と、
対を成す前記側壁フレーム間に架け渡された腰掛板と、
前記側壁フレームの下端部に設けられたキャスターと、
前記側壁フレームにおいて前記腰掛板よりも上部に設けられる屋根部と、を備え、
前記腰掛板と前記屋根部との間には、作業者の腰掛スペースが確保されていることを特徴とする移動式避暑休憩所。
【請求項２】
平面視において前記腰掛板を覆わない位置であって、且つ前記腰掛板と前記屋根部との間の位置に、
対を成す前記側壁フレーム間に架け渡されたテーブル板を設けたことを特徴とする請求項１に記載の移動式避暑休憩所。
【請求項３】
前記テーブル板を足場材により構成した事を特徴とする請求項２に記載の移動式避暑休憩所。
【請求項４】
前記側壁フレームと、前記腰掛板を足場材により構成した事を特徴とする請求項１乃至３のいずれか１項に記載の移動式避暑休憩所。
【請求項５】
側壁面にすだれを配置した事を特徴とする請求項１乃至４のいずれか１項に記載の移動式避暑休憩所。
【発明の詳細な説明】
【技術分野】
【０００１】
本発明は、休憩所に係り、特に、屋外の作業現場において夏季作業を行う際に有用な休憩所に関する。
【背景技術】
【０００２】
近年、夏季における屋外の災害として多く報告されるのが熱中症である。その対策として、公園や広場などの公共施設や整備された広場などでは、必要に応じた休憩場所や避暑地が設けられている。
【０００３】
これに対し、建設現場等の作業現場では、日々の作業内容によって作業範囲や作業場所が変わるため、必ずしも現場近くに休憩場所や避暑地を確保する事ができていない。このため作業者は、日陰のある詰所や木陰などに移動した上で休憩する事となり、休憩時間の一部を移動時間に割かれる事となり、十分な休憩時間をとれない場合があった。
【０００４】
このように、休憩場所が不足したり、固定式の休憩場所を設置できない場合を鑑みて、特許文献１、２に開示されているような、移動式の休憩所が考案されている。特許文献１に開示されている休憩所は、屋内型のものであるが、間仕切りと床板を備えたスペースに作業用具を収納する収納部分を付帯させ、床下部分にキャスターを備える事で、フロア内を移動可能な構成とし、固定式の休憩所が設けられないフロアにも休憩場所を配置する事を可能としている。
【０００５】
また、特許文献２に開示されている休憩所は、床板の下にキャスターを設け、床板周囲に手すりを備えた簡易的な休憩所である。特許文献２に開示されている休憩所の特徴は、床板の折り畳みを可能な構成とし、休憩所の移設をさらに容易なものとしている点である。
【先行技術文献】
【特許文献】
【０００６】
【特許文献１】実開平５−８４７５１号公報
【特許文献２】実用新案登録第３０２２６９２号公報
【発明の概要】
【発明が解決しようとする課題】
【０００７】
特許文献１、２に開示されているように、床板と壁となる部分を有し、床板の下側にキャスター等の移動手段を備えるようにすれば、整備が整っていない現場においても休憩場所を確保する事が可能となると考えられる。
【０００８】
しかし、特許文献１、２に開示されている移動式休憩所はいずれも、利用者が腰を下ろせるスペースを確保できれば良いという思想の下での考案であり、避暑という点においては何ら考慮が成されていない。
【０００９】
そこで本発明では、夏場の屋外において、作業者が避暑地での休憩を十分に取る事ができることとなる、移動式避暑休憩所を提供する事を目的とする。
【課題を解決するための手段】
【００１０】
上記目的を達成するための本発明の移動式避暑休憩所は、対を成す側壁フレームと、対を成す前記側壁フレーム間に架け渡されて前記側壁フレームの倒れ込みを防止する梁材と、対を成す前記側壁フレーム間に架け渡された腰掛板と、前記側壁フレームの下端部に設けられたキャスターと、前記側壁フレームにおいて前記腰掛板よりも上部に設けられる屋根部と、を備え、前記腰掛板と前記屋根部との間には、作業者の腰掛スペースが確保されていることを特徴とする。
【００１１】
また、上記のような特徴を有する移動式避暑休憩所は、平面視において前記腰掛板を覆わない位置であって、且つ前記腰掛板と前記屋根部との間の位置に、対を成す前記側壁フレーム間に架け渡されたテーブル板を設けるようにすると良い。このような特徴を有する事により、作業者等が腰掛板に座った状態で、テーブル機能を付加させる事ができる。
【００１２】
また、上記のような特徴を有する移動式避暑休憩所は、前記テーブル板を足場材により構成すると良い。足場材であれば、強度も高く、建設現場等の現場であれば、容易に入手可能となり、制作に要する費用、時間等を抑制する事ができる。
【００１３】
また、上記のような特徴を有する移動式避暑休憩所は、前記側壁フレームと、前記腰掛板も、足場材により構成すると良い。テーブル板と同様に、移動式避暑休憩所を構成する主要部材を足場材により構成すれば、強度も高く、建設現場等の現場であれば、容易に入手可能となり、制作に要する費用、時間等を抑制する事ができる。
【００１４】
さらに、上記のような特徴を有する移動式避暑休憩所は、側壁面にすだれを配置することもできる。対向配置される面にすだれを配置する事で、移動式避暑休憩所内における通気性を確保しつつ、日陰を作る事ができる。よって、内部空間の快適性を高める事ができる。
【発明の効果】
【００１５】
上記のような特徴を有する移動式避暑休憩所によれば、現場近くに避暑休憩所を配置する事が可能となる。よって、夏場の屋外において、作業者が避暑地での休憩を十分に取る事が可能となる。
【図面の簡単な説明】
【００１６】
【図１】実施形態に係る移動式避暑休憩所の正面構成を示す図である。
【図２】実施形態に係る移動式避暑休憩所の右側面構成を示す図である。
【発明を実施するための形態】
【００１７】
以下、本発明の移動式避暑休憩所に係る実施の形態について、図面を参照して詳細に説明する。なお、図面において、図１は、実施形態に係る移動式避暑休憩所の正面構成を示す図であり、図２は、同右側面の構成を示す図である。
【００１８】
本実施形態に係る移動式避暑休憩所（以下、単に休憩所１０と称す）は、側壁フレーム１２と、梁材１４、腰掛板１６、キャスター１８、及び屋根部２０を基本として構成されている。側壁フレーム１２は、休憩所１０の側壁を構成すると共に、詳細を後述する梁材１４や、腰掛板１６を架け渡して保持するための骨組みである。図１、図２に示す休憩所１０では、対を成す側壁フレーム１２の間（例えば両者の中心位置）に、補助フレーム２２を設ける構成としている。梁材１４や腰掛板１６の長さを長くした際に部材の座屈を防ぐためである。
【００１９】
側壁フレーム１２は、一対の柱１２ａと、この柱１２ａを連結する梁とから成り、図２に示す例では、柱１２ａの下方に、２本の梁（下方梁１２ｂ，１２ｃ）と、上方に１本の梁（上方梁１２ｄ）を設ける構成とされている。２本の下方梁１２ｂ，１２ｃの中間位置には、束１２ｅが設けられている。なお、補助フレーム２２は、側壁フレーム１２と同じ構成とされ、柱２２ａ、下方梁２２ｂ，２２ｃ、上方梁２２ｄ、束（不図示）をそれぞれ備えている。
【００２０】
梁材１４は、対を成す側壁フレーム１２間に架け渡されて、側壁フレーム１２が倒れ込む事を防止する役割を担う。実施形態に係る休憩所１０では、対を成す側壁フレーム１２と、補助フレーム２２とをそれぞれ連結している。側壁フレーム１２、補助フレーム２２、及び梁材１４は、それぞれ建設現場等において使用される足場材とすることができ、各部材の連結は、図示しないジョイントによって行うようにすれば良い。
【００２１】
図１、図２に示す休憩所１０には、５本の梁材１４ａ〜１４ｅが設けられている。内訳としては、正面側の柱１２ａ，２２ａに連結される梁材１４が２本（梁材１４ａ，１４ｂ）、背面側の柱１２ａ，２２ａに連結される梁材１４が３本（梁材１４ｃ〜１４ｅ）となっている。正面側における梁材１４は、詳細を後述する屋根部２０を取り付けるための梁材１４ａと、上方梁２２ｄ近傍に設けられ、正面入り口の上部に位置する事となる梁材１４ｂである。一方、背面側における梁材１４は、正面側と同様に、屋根部２０を取り付けるための梁材１４ｃと、背面側壁２４を構成する板部材２４ａを取り付けるための２本の梁材１４ｄ，１４ｅとから成る。
【００２２】
背面側において、板部材２４ａを取り付けるための２本の梁材１４ｄ，１４ｅの間には、束２４ｂが設けられ、この束２４ｂに対して板部材２４ａを係合する構成としている。
【００２３】
腰掛板１６は、休憩所１０において、作業者等が座って休むためのスペースを構成する役割を担う板部材である。図１、図２に示す実施形態の場合、側壁フレーム１２と補助フレーム２２における下方梁１２ｂ，２２ｂの上に架け渡すように配置している。板材をこのように架け渡す事で、腰掛としての役割を果たす事となる。また、補助フレーム２２を介在させる事で、重みによる腰掛板１６の撓みや座屈を抑制する事ができる。なお、腰掛板１６も側壁フレーム１２や補助フレーム２２、及び梁材１４と同様に、足場材により構成することができる。
【００２４】
キャスター１８は、休憩所１０を移動させるための走行手段としての役割を担う。図１、図２に示す形態では、側壁フレーム１２と補助フレーム２２における各柱１２ａ，２２ａの下端部に、それぞれ設けられている。キャスター１８は、柱１２ａ，２２ａに接続される垂直軸１８ａと車輪１８ｃの回転軸１８ｂとの垂直位置がずれており、移動方向へ力が掛けられる事で、垂直軸１８ａ周りに車輪１８ｃの向きが変化することとなる。なお、キャスター１８には、図示しないストッパーを設けるようにしても良い。休憩所１０の配置状態の安定性を向上させる事ができるからである。
【００２５】
屋根部２０は、休憩所１０に日陰を作り、避暑地を構成する役割を担う。図１、図２に示す形態では、梁材１４ａ，１４ｃの上に架け渡した前後梁２０ａに、板部材２０ｂを固定する事で構成している。このように、屋根部２０と、背面側壁２４を設ける事で、休憩所１０内に日陰空間（避暑地）を構成する事ができる。
【００２６】
また、図１、図２に示す形態の休憩所１０には、テーブル板２６が設けられている。テーブル板２６は、休憩所１０を平面視した際に、腰掛板１６を完全に覆う事が無い位置に設けられる。テーブル板２６が腰掛板１６を全て覆う位置に配置されると、腰掛板１６が、その機能を発揮する事ができなくなってしまうためである。よって、テーブル板２６が腰掛板１６の一部を覆っていた場合でも、腰掛板１６による機能を発揮する事ができれば、本実施形態の一部とみなす事ができる。
【００２７】
また、テーブル板２６は、腰掛板１６と屋根部２０との間に設けられ、腰掛板１６とテーブル板２６との間には、少なくとも脚を入れる事ができるだけの隙間を設けるようにする。このような構成により、腰掛板１６に座り、テーブル板２６をテーブルとして使用する事が可能となるからである。テーブル板２６は、例えば、側壁フレーム１２と補助フレーム２２の下方梁１２ｃ，２２ｃに係合するように板材を架け渡して配置する事で構成する事ができる。なお、屋根部２０も、足場材により構成する事ができる。
【００２８】
さらに、図１、図２に示す形態の休憩所１０には、側壁フレーム１２に対してすだれ２８が設けられている。すだれ２８を設ける事により、休憩所１０に対して直射日光が、側壁フレーム１２側から入射する事を防ぐ事ができる。また、対向する壁面にすだれ２８を採用する事で、通風性も維持し、夏場における休憩所１０の内部空間（避暑地）の快適性を高める事ができる。
【００２９】
このような構成の休憩所１０を採用することによれば、作業者は、距離的に離れた位置にある詰所等に戻る事なく、近くの休憩所１０で休憩する事が可能となる。これにより、移動に要する時間を短縮する事ができ、十分な休憩をとる事が可能となる。
【００３０】
また、休憩所１０が作業現場の近くに存在する事で、小休憩を簡単に取る事ができ、夏季作業における熱中症のリスクを低減する事ができる。また、休憩だけでなく、打合せ等を行う際にも休憩所１０を利用する事ができ、夏季においては、炎天下での打合せを避ける事ができる。
【００３１】
さらに、キャスター１８が設けられており、休憩所１０の移動を容易に行う事ができる。よって、作業現場の変更などが生じた際にも、休憩所１０を新たな作業場の近傍へ移動させて利用する事ができ、利便性が高い。
【産業上の利用可能性】
【００３２】
上記実施形態では、側壁フレーム１２や梁材１４、屋根部２０等の休憩所１０を構成する部材を足場材とする旨記載した。しかしながら、実施形態における説明は、建設現場で容易に入手する事が可能な部材の一例として、足場材を挙げたものであり、その他の部材を使用して各要素を構成したとしても、本発明の実施範囲である事に変わりはない。ただし、現場で入手可能な部材で構成する事で、休憩所１０を作る上での費用、時間等を低減する事ができる。
【符号の説明】
【００３３】
１０………休憩所、１２………側壁フレーム、１２ａ………柱、１２ｂ………下方梁、１２ｃ………下方梁、１２ｄ………上方梁、１２ｅ………束、１４（１４ａ〜１４ｅ）………梁材、１６………腰掛板、１８………キャスター、１８ａ………垂直軸、１８ｂ………回転軸、１８ｃ………車輪、２０………屋根部、２０ａ………前後梁、２０ｂ………板部材、２２………補助フレーム、２２ａ………柱、２２ｂ………下方梁、２２ｃ………下方梁、２２ｄ………上方梁、２４………背面側壁、２４ａ………板部材、２４ｂ………束、２６………テーブル板、２８………すだれ。
【図１】
2018087478.tif 000003
【図２】
2018087478.tif 000004